(57)【要約】【課題】包装袋の自立性を高めることのできる包装袋用ラベルを提供する。【解決手段】包装袋２０に取り付けて使用される包装袋用ラベル１０は、包装袋２０の両側面にそれぞれ配置される第１側部１１及び第２側部１２と、第１側部１１の下端縁に連接され、包装袋２０の下部に配置される底部１４とを備えている。第２側部１２及び底部１４には、第２側部１２と底部１４とを連結するための連結部としての切込み１５及び挿入片１６が設けられている。【選択図】図２
2014193725.tif 000002
【特許請求の範囲】
【請求項１】
一対の側面シートと、側面シート間に配置されて底面を形成する底面シートとからなり、前記側面シートの両側部同士が接合されるとともに、前記側面シートの下部と前記底面シートとが接合されることにより袋状をなす包装袋に取り付けて使用される包装袋用ラベルであって、
帯状のシート材からなり、
前記包装袋の両側面にそれぞれ配置される第１側部及び第２側部と、
前記第１側部の下端縁に連接され、前記包装袋の下部に配置される底部とを備え、
前記第２側部及び前記底部の少なくとも一方には、前記第２側部と前記底部とを連結するための連結部が設けられていることを特徴とする包装袋用ラベル。
【請求項２】
前記底部には、前記包装袋の底面側において、前記側面シートと前記底面シートとの接合により形成される隙間に挿入されて前記包装袋の自立を補助する補助部が設けられていることを特徴とする請求項１に記載の包装袋用ラベル。
【請求項３】
前記補助部は、前記底面シートの下面に当接して、前記底面シートを下側から支持することを特徴とする請求項２に記載の包装袋用ラベル。
【請求項４】
前記補助部は、前記側面シート同士の接近を規制することを特徴とする請求項２又は請求項３に記載の包装袋用ラベル。
【請求項５】
請求項１〜４のいずれか一項に記載の包装袋用ラベルを形成するためのシート材であって、
前記底部と、前記第１側部と、前記第２側部とが長さ方向に連接された帯状をなしていることを特徴とするシート材。
【発明の詳細な説明】
【技術分野】
【０００１】
本発明は、側面シートと底面シートとを接合してなる包装袋に取り付けて使用される包装袋用ラベル、及び包装袋用ラベルを形成するためのシート材に関する。
【背景技術】
【０００２】
近年、プラスチックボトルやガラス瓶等のボトル容器に代えて、樹脂シートを袋状に形成した包装袋が容器として使用されている。樹脂シートから形成される包装袋は、プラスチックボトルやガラス瓶等のボトル容器に比べて省資源化が可能であり、また使用後に小さく折り畳むことができるため、ごみの減容化にも寄与する。
【０００３】
包装袋は、一対の側面シートと底面シートとからなり、二つ折りにした底面シートを一対の側面シートの間に挟み込ませた状態として、底面シート及び側面シートの各側縁を熱溶着することにより袋状に形成される。また、充填される内容物の種類や形状に応じて、一対の側面シートの上縁部には口具が取り付けられる。
【０００４】
上記のような包装袋は、自身を構成するシート材が軟質の材料で形成されていることから、内容物の減少に伴って中折れや転倒が起こりやすく、自立性が低下する傾向がある。そのため、従来の包装袋には、包装袋の自立性を高めるための種々の工夫が施されている。例えば、特許文献１には、包装袋の両側縁及び上縁を、熱可塑性樹脂からなる補強材で被覆することによって包装袋の自立性を高める技術が開示されている。
【先行技術文献】
【特許文献】
【０００５】
【特許文献１】特開２００３―１９１９６４号公報
【発明の概要】
【発明が解決しようとする課題】
【０００６】
ところで、包装袋を用いた製品には、製品名や原材料等の製品情報が表示される。包装袋に製品内容の表示を行うための方法の一つとして、製品情報が印刷されたラベル（包装袋用ラベル）を包装袋に取り付ける方法がある。本発明は、包装袋に取り付けられる包装袋用ラベルに着目するものであり、包装袋用ラベルの構成によって、包装袋の自立性を向上させることを目的とする。
【課題を解決するための手段】
【０００７】
上記の目的を達成するために請求項１に記載の包装袋用ラベルは、一対の側面シートと、側面シート間に配置されて底面を形成する底面シートとからなり、前記側面シートの両側部同士が接合されるとともに、前記側面シートの下部と前記底面シートとが接合されることにより袋状をなす包装袋に取り付けて使用される包装袋用ラベルであって、帯状のシート材からなり、前記包装袋の両側面にそれぞれ配置される第１側部及び第２側部と、前記第１側部の下端縁に連接され、前記包装袋の下部に配置される底部とを備え、前記第２側部及び前記底部の少なくとも一方には、前記第２側部と前記底部とを連結するための連結部が設けられていることを特徴とする。上記構成によれば、包装袋用ラベルの底部によって、接地部分が増えることにより、包装袋の自立状態が安定化する。
【０００８】
前記底部には、前記包装袋の底面側において、前記側面シートと前記底面シートとの接合により形成される隙間に挿入されて前記包装袋の自立を補助する補助部が設けられていることが好ましい。補助部は、底面シートの下面に当接して底面シートを下側から支持することにより、包装袋の自立状態を更に安定化させる。また、補助部は、側面シート同士の接近を規制して、包装袋の下部側が膨らんだ状態を保持することにより、包装袋の自立状態を更に安定化させる。
【０００９】
また、包装袋用ラベルを形成するためのシート材は、前記底部と、前記第１側部と、前記第２側部とが長さ方向に連接された帯状をなしていることが好ましい。
【発明の効果】
【００１０】
本発明の包装袋用ラベル及びシート材によれば、包装袋の自立性を高めることができる。
【図面の簡単な説明】
【００１１】
【図１】包装袋用ラベルを形成するためのシート材を示す図。
【図２】（ａ）は包装袋用ラベルの斜視図、（ｂ）はラベル付き包装袋の斜視図。
【図３】図２の３−３線部分断面図。
【図４】（ａ）は包装袋の分解斜視図、（ｂ）は包装袋の斜視図。
【図５】（ａ），（ｂ）は変更例の包装袋用ラベルの斜視図。
【発明を実施するための形態】
【００１２】
以下、本発明の包装袋用ラベルを図面に基づいて説明する。
先ず、本発明の包装袋用ラベル１０が取り付けられる包装袋２０について説明する。
図４に示すように、包装袋２０は、折り目が上方を向くように二つ折りにされた横長の略長方形状の底面シート２１と、その底面シート２１を挟み込むように対向配置された一対の縦長の長方形状の側面シート２２と、口具２３とから構成されている。そして、口具２３の下部及び二つ折りにされた底面シート２１全体を挟んで一対の側面シート２２を重ね合わせた状態として、側面シート２２の上下及び左右の各縁部がそれぞれ接着されることにより、上部に口具２３を有する袋状に形成されている。
【００１３】
具体的には、包装袋２０の上縁においては、口具２３の下部外面と側面シート２２の内面とが接着されるとともに、側面シート２２の内面同士が一定幅で接着されている。包装袋２０の左右の両側縁においては、側面シート２２の内面同士が一定幅で接着されるとともに、底面シート２１の内面（二つ折り状態で内側となる面）同士が一定幅で接着されている。また、包装袋２０の下縁においては、側面シート２２の内面と底面シート２１の外面とが、上下方向において円弧状に凹んだ曲線と側面シート２２の左縁、右縁及び下縁とによって囲まれた領域にて接着されている。包装袋２０は、底面シート２１を展開させることにより、底壁部分を有する有底の包装袋となる。
【００１４】
次に、包装袋用ラベル１０について説明する。
包装袋用ラベル１０は、一枚の帯状のシート材１０Ａを組み立てることにより形成される。包装袋用ラベル１０を形成するためのシート材１０Ａとしては、紙や合成樹脂製のフィルム等からなり、包装袋２０を構成する底面シート２１及び側面シート２２よりも剛性の高いシート材が用いられる。
【００１５】
図１に示すように、シート材１０Ａは、長さ方向に連接される長方形状の第１側部１１及び第２側部１２を備えている。第１側部１１及び第２側部１２は、包装袋に収容される内容物の製品情報が表示される部位であり、例えば、第１側部１１の表面に製品名が表示されるとともに、第２側部１２の表面に製品の原材料等が表示される。なお、図１に示す仮想線Ａは、第１側部１１と第２側部１２との境界を示す線である。
【００１６】
第１側部１１の縦方向長さは包装袋２０の側面シート２２の上下寸法よりも僅かに長く設定されるとともに、その横方向長さは側面シート２２の左右方向寸法よりも短く設定されている。第２側部１２は第１側部１１と同形状に形成されている。また、第１側部１１と第２側部１２に跨って、包装袋２０の口具２３を挿通させるための挿通孔１３が形成されている。
【００１７】
第１側部１１における第２側部１２と反対側の端部には、八角形状に形成される底部１４が連接されている。底部１４は、シート材１０Ａの幅方向（図１における左右方向）に並ぶ３つの部位により構成されている。すなわち、底部１４の中央に位置し、第１側部１１に接続される長方形状の中央部１４ａと、底部１４の両側に位置し、第１側部１１に直接、接続されていない台形形状の補助部１４ｂとから構成されている。
【００１８】
図１に示す仮想線Ｂは、第１側部１１と底部１４（の中央部１４ａ）との境界を示す線であり、仮想線Ｃ及び仮想線Ｄは、底部１４における中央部１４ａと補助部１４ｂとの境界を示す線である。また、底部１４の中央部１４ａには、シート材１０Ａの幅方向に延びる切込み１５が設けられている。
【００１９】
第２側部１２における第１側部１１と反対側の端部には、シート材１０Ａの長さ方向に延びる挿入片１６が連接されている。挿入片１６の先端には、先端側から基端側に向かって拡幅する拡幅部１６ａが設けられている。拡幅部１６ａの幅は、底部１４に設けられる切込み１５の長さと略同じ長さに設定されている。なお、図１に示す仮想線Ｅは、第２側部１２と挿入片１６との境界を示す線である。
【００２０】
次に、シート材１０Ａから包装袋用ラベル１０を組み立てる方法、及び包装袋用ラベル１０を包装袋２０に取り付ける方法について説明する。なお、図２（ａ）はシート材１０Ａから組み立てられた包装袋用ラベル１０を示し、図２（ｂ）は組み立てられた包装袋用ラベル１０が包装袋２０に取り付けられた状態（ラベル付き包装袋３０）を示している。
【００２１】
まず、第１側部１１及び第２側部１２の製品情報が表示されている側を上側にして、シート材１０Ａの挿通孔１３に下側から包装袋２０の口具２３を挿通させる。そして、シート材１０Ａを仮想線Ａにて山折に屈曲させて、包装袋２０の両側面に第１側部１１及び第２側部１２をそれぞれ配置させる。
【００２２】
次いで、仮想線Ｂにて底部１４を第２側部１２側へ折り曲げて、包装袋２０の底面側に底部１４を配置させる。このとき、仮想線Ｃ及び仮想線Ｄにて底部１４両側の補助部１４ｂを上方へ折り曲げて起立させた状態とする。また、仮想線Ｅにて挿入片１６を第１側部１１側へ折り曲げて底部１４の下側に重ねるとともに、挿入片１６の先端（拡幅部１６ａ）を中央部１４ａの切込み１５に挿入する。
【００２３】
これにより、第２側部１２と底部１４とが連結されて、包装袋用ラベル１０が組み立てられる。そして、包装袋２０は包装袋用ラベル１０が取り付けられたラベル付き包装袋３０となる。なお、本実施形態においては、底部１４に設けられる切込み１５と、第２側部１２に連接される挿入片１６とによって、第２側部１２と底部１４とを連結する連結部が構成されている。
【００２４】
次に、本実施形態の作用について説明する。
包装袋用ラベル１０を未装着の包装袋２０を載置面上に立てた場合、載置面に対して、側面シート２２の下端縁のみが線で接地することになる。これに対して、包装袋用ラベル１０を取り付けたラベル付き包装袋３０を載置面上に立てた場合、載置面に対して、包装袋用ラベル１０の底部１４（中央部１４ａ）が面で接地することになる。このように、包装袋用ラベル１０を取り付けた場合には、載置面に対する接地部分が線から面へと増大し、その結果、包装袋２０の自立状態が安定化する。
【００２５】
また、図３に示すように、底面シート２１と側面シート２２とからなる包装袋２０においては、底面シート２１と側面シート２２とが接着されることに基づいて、包装袋２０の底面側に凹形状の隙間Ｓが形成される。そして、包装袋用ラベル１０の底部１４の両側の補助部１４ｂは、上方へ折り曲げられて起立した状態で上記隙間Ｓ内に挿入されている。上記隙間Ｓ内に挿入された補助部１４ｂは、底面シート２１の下側に配置されて、底面シート２１を下側から支持する。これにより、包装袋２０の自立状態が更に安定化する。
【００２６】
加えて、上記隙間Ｓ内に、補助部１４ｂが配置されることにより、包装袋２０の側面シート２２同士が一定以上に接近することが規制される。つまり、補助部１４ｂが側面シート２２間の間隔保持部として機能する。これにより、包装袋２０内の内容物の量が少なくなった場合にも、包装袋２０の下部側が膨らんだ状態が保持されやすくなり、その結果、包装袋２０の自立状態が更に安定化する。
【００２７】
次に本実施形態の効果について、以下に記載する。
（１）包装袋２０に取り付けて使用される包装袋用ラベル１０は、包装袋２０の両側面にそれぞれ配置される第１側部１１及び第２側部１２と、第１側部１１の下端縁に連接され、包装袋２０の下部に配置される底部１４とを備えている。第２側部１２及び底部１４には、第２側部１２と底部１４とを連結するための連結部（切込み１５及び挿入片１６）が設けられている。上記構成によれば、包装袋用ラベル１０の底部１４によって、面状の接地部分が確保されることにより、包装袋２０の自立状態が安定化する。
【００２８】
（２）底部１４には、包装袋２０の底面側において、側面シート２２と底面シート２１との接着により形成される隙間Ｓに挿入される補助部１４ｂが設けられている。補助部１４ｂは、包装袋２０の底面シート２１を下側から支持することにより、包装袋２０の自立状態を更に安定化させる。また、補助部１４ｂは、包装袋２０の側面シート２２同士の接近を規制して、包装袋２０の下部側が膨らんだ状態を保持することにより、包装袋２０の自立状態を更に安定化させる。
【００２９】
（３）包装袋用ラベル１０を形成するためのシート材１０Ａは、底部１４と、第１側部１１と、第２側部１２とが長さ方向に連接された帯状をなしている。上記構成によれば、仮想線Ａ，Ｂ，Ｅにてシート材１０Ａを折り曲げるとともに、第２側部１２と底部１４とを連結部（切込み１５及び挿入片１６）にて連結させるという単純な操作によって、包装袋用ラベル１０を組み立てることができる。
【００３０】
（４）シート材１０Ａの底部１４の側部は、第１側部１１に非接続とされて、上方へ折曲可能に形成されている。上記構成によれば、底部１４の側部を折り曲げて起立させることにより、簡易に補助部１４ｂを形成することができる。
【００３１】
なお、上記実施形態は、次のように変更して具体化することも可能である。また、次の変更例を互いに組み合わせ、その組み合わせの構成のように上記実施形態を変更することも可能である。
【００３２】
・  包装袋２０は、一対の側面シート２２と、側面シート２２間に配置されて底面を形成する底面シート２１とからなり、側面シート２２の両側部同士が接合されるとともに、側面シート２２の下部と底面シート２１とが接合されることにより袋状をなす包装袋であれば、その具体的構成は上記実施形態に限定されるものではない。例えば、口具２３が袋の側部や隅部分に取り付けられている包装袋であってもよいし、口具２３を備えない包装袋であってもよい。また、特許文献１に記載されるような両側縁等が補強材で被覆された包装袋であってもよい。
【００３３】
・  包装袋用ラベル１０の第１側部１１及び第２側部１２を、包装袋２０の側面に接着剤等により貼り付ける構成としてもよいし、底部１４を、包装袋２０の底面等に接着剤等により貼り付ける構成としてもよい。この場合、包装袋２０に対する包装袋用ラベル１０の取り付け状態が安定化する。
【００３４】
・  第１側部１１及び第２側部１２の形状は、包装袋２０の形状やラベルのデザイン等に応じて適宜、変更することができる。例えば、第１側部１１と第２側部１２とを非連結とし、第１側部１１及び第２側部１２の上部を包装袋２０の側面に接着剤等により貼り付けて固定する構成としてもよい。この場合には、口具２３の取り付け位置等、上部の形状の違う包装袋２０に対しても、第１側部１１及び第２側部１２の形状を変更することなく同様に取り付けることができる包装袋用ラベル１０となる。
【００３５】
・  第２側部１２と底部１４とを連結する連結部の具体的構成は上記実施形態の構成に限定されるものではない。例えば、底部１４の切込み１５を省略し、挿入片１６を底部１４の内面又は外面に接着剤等により接着することによって、第２側部１２と底部１４とを連結する構成であってもよい。また、図５（ａ）及び（ｂ）に示すように、底部１４における第１側部１１と反対側の端縁に接着片１４ｃを連接し、接着片１４ｃの外面と第２側部１２の内面とを接着剤等により固定することによって、第２側部１２と底部１４とを連結する構成であってもよい。
【００３６】
・  底部１４は、必ずしも載置面に対して面で接触する構成である必要はなく、包装袋用ラベル１０の取り付け前の包装袋２０と比較して、載置面に対する接地部分が増える構成であればよい。
【００３７】
・  補助部１４ｂは、底面シート２１の下面に当接して、底面シート２１を下側から支持する機能、及び側面シート２２同士の接近を規制する機能の少なくとも一方を備えるものであれば、その具体的構成は上記実施形態に限定されるものではない。例えば、上記実施形態では、底部１４の両側部に補助部１４ｂを設けていたが、底部１４の一方側のみに補助部１４ｂを設ける構成としてもよい。また、補助部１４ｂを省略してもよい。
【００３８】
・  また、参考例として記載するものであるが、次のような構成とした場合にも包装袋の自立性を高めるという課題を解決することが可能である。上記実施形態では、包装袋用ラベル１０の底部１４の補助部１４ｂを包装袋２０の隙間Ｓ内に配置させていたが、底部１４の中央部１４ａも隙間Ｓ内に配置させる。そして、底部１４の中央部１４ａを包装袋２０の隙間Ｓ内に固定する。この場合には、隙間Ｓ内に中央部１４ａが配置されることによって、包装袋２０の側面シート２２同士の接近が規制されて、包装袋２０の自立状態を安定化させることができる。
【００３９】
上記構成とした場合には、少なくとも底部１４の中央部１４ａを備える構成であればよく、補助部１４ｂを省略することも可能であるし、第１側部１１及び第２側部１２の一方又は両方を省略することも可能である。つまり、底部１４の中央部１４ａに相当する本体部と、その本体部を包装袋２０の隙間Ｓ内に固定する固定部とを備える部材（自立補助シート）であればよく、ラベル機能や連結部等は任意構成となる。
【００４０】
なお、上記固定部としては、例えば、上記本体部の上面に接着層を設けて、その接着層によって包装袋２０に上記本体部を固定する構成が挙げられる。また、上記本体部の側縁部分を上方又は下方に折り曲げてなる折曲部を設けて、隙間Ｓを囲む包装袋２０の周壁内面（側面シート２２と底面シート２１とが接合されている部分）に上記折曲部を接着剤等により接着することによって、包装袋２０に上記本体部を固定してもよい。
【００４１】
次に、上記実施形態及び変更例から把握できる技術的思想について記載する。
（イ）前記補助部は、前記底部の側部を折り曲げて起立させることにより形成されている前記包装袋用ラベル。
【００４２】
（ロ）前記底部の側部は、前記第１側部に非接続とされて、上方へ折曲可能に形成されている前記シート材。
（ハ）前記包装袋用ラベルを備えるラベル付き包装袋。
【００４３】
（ニ）一対の側面シートと、側面シート間に配置されて底面を形成する底面シートとからなり、前記側面シートの両側部同士が接合されるとともに、前記側面シートの下部と前記底面シートとが接合されることにより袋状をなす包装袋に取り付けて使用される自立補助シートであって、前記包装袋の底面側において、前記側面シートと前記底面シートとの接合により形成される隙間に配置されて、側面シート同士の接近を規制するシート状の本体部と、前記本体部を前記包装袋に固定するための固定部とを備える自立補助シート。
【符号の説明】
【００４４】
Ｓ…隙間、１０…包装袋用ラベル、１０Ａ…シート材、１１…第１側部、１２…第２側部、１４…底部、１４ｂ…側部（補助部）、１５…切込み（連結部）、１６…挿入片（連結部）、２０…包装袋、２１…底面シート、２２…側面シート、２３…口具。
【図１】
2014193725.tif 000003
【図２】
2014193725.tif 000004
【図３】
2014193725.tif 000005
【図４】
2014193725.tif 000006
【図５】
2014193725.tif 000007